(57)【要約】【課題】容易にかつ確実に設置することができる床版水抜き管を提供する。【解決手段】中央に貫通孔（１２ａ１）が設けられたほぼ円板形の上部分（１２ａ）、及び上部分の下方に配置され、ほぼ円筒形の下部分（１２ｂ）を有する受皿（１２）と、受皿の下方に配置された水抜きパイプ（１４）と、上部分の下方かつ下部分の周囲に配置された据付け用ばね（２０）とを備え、据付け用ばねを伸縮させることにより、受皿の据付け高さを調整するように構成されていることを特徴とする床版水抜き管（１０）が提供される。【選択図】図１
2019138062.tif 000002
【特許請求の範囲】
【請求項１】
中央に貫通孔が設けられたほぼ円板形の上部分、及び前記上部分の下方に配置され、ほぼ円筒形の下部分を有する受皿と、
前記受皿の下方に配置された水抜きパイプと、
前記上部分の下方かつ前記下部分の周囲に配置された据付け用ばねとを備え、
前記据付け用ばねを伸縮させることにより、前記受皿の据付け高さを調整するように構成されていることを特徴とする床版水抜き管。
【請求項２】
前記上部分に設けられた複数個の孔にピンをそれぞれ差し込むことにより、前記受皿が所定の据付け位置に固定されるように構成されていることを特徴とする請求項１に記載された床版水抜き管。
【請求項３】
前記上部分の周縁部の互いに直径方向に間隔を隔てた個所に、液状接着剤の注入口かつ観測口となる開口がそれぞれ設けられていることを特徴とする請求項１又は２に記載された床版水抜き管。
【請求項４】
前記受皿がステンレス鋼又は合成樹脂材料で形成されていることを特徴とする請求項１から請求項３までのいずれか１項に記載された床版水抜き管。
【請求項５】
請求項１から請求項４までのいずれか１項に記載された床版水抜き管を使用して、橋面排水システムを施工するための方法であって、
前記床版水抜き管を設置しようとするコンクリート躯体の箇所に、前記床版水抜き管の外径よりも僅かに大きな径をもつ孔を削孔する段階と、前記孔の上端に座ぐり孔を削孔する段階と、前記床版水抜き管を前記孔に挿入した場合に前記孔の下端部に位置する箇所にシールテープを貼付した後、前記孔に前記床版水抜き管を挿入する段階と、前記据付け用ばねを伸縮させることによって、前記受皿の高さを調整する段階と、前記孔と前記床版水抜き管との間の隙間に液状接着剤を充填する段階とを含むことを特徴とする方法。
【請求項６】
請求項１から請求項４までのいずれか１項に記載された床版水抜き管を使用して、縁石の下方に橋面排水システムを施工するための方法であって、
前記床版水抜き管を設置しようとするコンクリート躯体の箇所に、前記床版水抜き管の外径よりも僅かに大きな径をもつ孔を削孔する段階と、前記孔の上端に座ぐり孔を削孔する段階と、前記床版水抜き管を前記孔に挿入した場合に前記孔の下端部に位置する箇所にシールテープを貼付した後、前記孔に前記床版水抜き管を挿入する段階と、前記据付け用ばねを伸縮させることによって、前記受皿の高さを調整する段階と、前記孔と前記床版水抜き管との間の隙間に液状接着剤を充填する段階と、前記受皿の上方に排水孔付きの半球形カップを設置する段階とを含むことを特徴とする方法。
【発明の詳細な説明】
【技術分野】
【０００１】
本発明は、床版水抜き管及び該床版水抜き管を使用する橋面排水システム施工方法に関する。
【背景技術】
【０００２】
従来、橋梁の橋面部の排水は、橋面部の所定箇所に床版水抜き管を設置し、この床版水抜き管の下端にフレキシブルパイプ等を連結することによって、所望箇所に誘導するように構成されている。このような橋面排水システムの施工において、新設工事では、床版水抜き管を周囲の鉄筋に固定することによって設置し、コンクリートを打設して定着固定させる必要があり、補修工事では、既設コンクリート床版に孔を開けて床版水抜き管を挿入し、接着剤により接着固定させる必要があった。このような場合に、特に補修工事においては、充填した接着剤が硬化するまでの間に、水抜き管が落下しないように、水抜き管をコンクリート躯体に仮止めしておく必要があった。
【０００３】
このような状況下、本発明者は、専用の吊り具を必要とせずに設置することができる床版水抜き管を提案した（特許文献１参照）。
【先行技術文献】
【特許文献】
【０００４】
【特許文献１】特許第６０６７４２５号公報
【発明の概要】
【発明が解決しようとする課題】
【０００５】
特許文献１の床版水抜き管は幸いにして好評をもって迎えられたが、より容易にかつ確実に施工を実施することが要望されている。
【０００６】
本発明は、このような状況に鑑みて開発されたものであって、より容易にかつ確実に設置することができる床版水抜き管及び該床版水抜き管を使用する橋面排水システム施工方法を提供することを目的としている。
【課題を解決するための手段】
【０００７】
本願請求項１に記載の床版水抜き管は、中央に貫通孔が設けられたほぼ円板形の上部分、及び前記上部分の下方に配置され、ほぼ円筒形の下部分を有する受皿と、前記受皿の下方に配置された水抜きパイプと、前記上部分の下方かつ前記下部分の周囲に配置された据付け用ばねとを備え、前記据付け用ばねを伸縮させることにより、前記受皿の据付け高さを調整するように構成されていることを特徴とするものである。
【０００８】
本願請求項２に記載の床版水抜き管は、前記請求項１の床版水抜き管において、前記上部分に設けられた複数個の孔にピンをそれぞれ差し込むことにより、前記受皿が所定の据付け位置に固定されるように構成されていることを特徴とするものである。
【０００９】
本願請求項３に記載の床版水抜き管は、前記請求項１又は２の床版水抜き管において、前記上部分の周縁部の互いに直径方向に間隔を隔てた個所に、液状接着剤の注入口かつ観測口となる開口がそれぞれ設けられていることを特徴とするものである。
【００１０】
本願請求項４に記載の床版水抜き管は、前記請求項１から請求項３の床版水抜き管において、前記受皿がステンレス鋼又は合成樹脂材料で形成されていることを特徴とするものである。
【００１１】
本願請求項５に記載の、請求項１から請求項４までのいずれか１項に記載された床版水抜き管を使用して、橋面排水システムを施工するための方法は、前記床版水抜き管を設置しようとするコンクリート躯体の箇所に、前記床版水抜き管の外径よりも僅かに大きな径をもつ孔を削孔する段階と、前記孔の上端に座ぐり孔を削孔する段階と、前記床版水抜き管を前記孔に挿入した場合に前記孔の下端部に位置する箇所にシールテープを貼付した後、前記孔に前記床版水抜き管を挿入する段階と、前記据付け用ばねを伸縮させることによって、前記受皿の高さを調整する段階と、前記孔と前記床版水抜き管との間の隙間に液状接着剤を充填する段階とを含むことを特徴とするものである。
【００１２】
本願請求項６に記載の、請求項１から請求項４までのいずれか１項に記載された床版水抜き管を使用して、縁石の下方に橋面排水システムを施工するための方法は、前記床版水抜き管を設置しようとするコンクリート躯体の箇所に、前記床版水抜き管の外径よりも僅かに大きな径をもつ孔を削孔する段階と、前記孔の上端に座ぐり孔を削孔する段階と、前記床版水抜き管を前記孔に挿入した場合に前記孔の下端部に位置する箇所にシールテープを貼付した後、前記孔に前記床版水抜き管を挿入する段階と、前記据付け用ばねを伸縮させることによって、前記受皿の高さを調整する段階と、前記孔と前記床版水抜き管との間の隙間に液状接着剤を充填する段階と、前記受皿の上方に排水孔付きの半球形カップを設置する段階とを含むことを特徴とするものである。
【発明の効果】
【００１３】
本発明によれば、据付け用ばねを設けたことにより、施工時に受皿の高さを容易に調整することができる。また、ピンにより、受皿を所定個所に確実に固定することができる。また、受皿に開口を設けたことにより、液状接着剤の注入作業が容易になるとともに、過注入を防止することができる。また、受皿をステンレス鋼又は合成樹脂材料で形成することにより、良好な耐蝕性を得ることができる。さらに、縁石の下方においても、カップを用いることにより、好適な排水システムを容易に構築することができる。
【図面の簡単な説明】
【００１４】
【図１】本発明の好ましい実施の形態に係る床版水抜き管の各構成要素を示した分解図である。
【図２】図２（ａ）は、図１の線２ａ−２ａに沿って見た図、図２（ｂ）は、図１の線２ｂ−２ｂに沿って見た図である。
【図３】図１の各構成要素を合体させた断面図である。
【図４】橋面排水システムの全体を示した概略図である。
【図５】図４の部分５の拡大図である。
【図６】図６（ａ）〜図６（ｆ）は、橋面排水システムを施工する一連の手順を示した図、図６（ｇ）は、図６（ｆ）の部分６ｇの拡大図、図６（ｈ）は、図６（ｇ）の線６ｈ−６ｈに沿って見た図である。
【図７】縁石の下方への橋面排水システムの施工を示した図であって、図７（ａ）は、図１の床版水抜き管が縁石の下方に設置されている状態を示した模式図、図７（ｂ）は、半球形カップの斜視図、図７（ｃ）は、縁石の下方に設置されている半球形カップの平面図、図７（ｄ）は、図７（ｃ）の線７ｄ‐７ｄに沿って見た断面図である。
【発明を実施するための形態】
【００１５】
次に図面を参照して、本発明の好ましい実施の形態に係る床版水抜き管について詳細に説明する。図１は、本発明の好ましい実施の形態に係る床版水抜き管の各構成要素を分解した図である。図１において全体として参照符号１０で示される本発明の好ましい実施の形態に係る床版水抜き管は、受皿１２を備えている。
【００１６】
受皿１２は、ほぼ円板形の上部分１２ａと、上部分１２ａの下方に配置され、ほぼ円筒形の下部分１２ｂとを有する。 好ましくは、受皿１２は、耐食性を考慮して、ステンレス鋼又は合成樹脂材料で形成されている。
【００１７】
図２（ｂ）に示されるように、受皿１２の上部分１２ａの中央には、貫通穴１２ａ１が設けられており、上部分１２ａの周縁部には、互いに直径方向に間隔を隔てた個所に、ほぼ矩形の開口１２ａ２がそれぞれ設けられている。貫通穴１２ａ１は、後述する水抜きパイプに至る排水路となり、開口１２ａ２は、液状接着剤の注入口かつ観測口となる。また、上部分１２ａには、後述するピンを挿入するための複数個（図２（ｂ）では３個が図示されているが、これに限定されない）の孔１２ａ３が設けられている。
【００１８】
好ましくは、上部分１２ａは、排水が容易に行われるように、周縁部から中央の貫通穴１２ａ１に向かって下向きに僅かに傾斜するように形作られている。
【００１９】
受皿１２の下部分１２ｂの下端１２ｂ１は、後述する水抜きパイプを差し込み易いように、外面に段差が設けられている。好ましくは、下部分１２ｂは、図３に示されるように、内径が上端Ｄ1から下端Ｄ2に向かって徐々に小さくなるように形作られている。これにより、排水能力の向上が期待される。
【００２０】
受皿１２の上部分１２ａと下部分１２ｂは一体に形成してもよいし、別個に形成して接着剤等を用いて一体化してもよい。
【００２１】
床版水抜き管１０はまた、受皿１２の下方に配置された水抜きパイプ１４を備えている。水抜きパイプ１４は、円筒形のステンレス鋼製の管で形成されている。水抜きパイプ１４の下端には雌ねじ１４ａが切られており、ニップル１４ｂが水抜きパイプ１４の下端にねじ込まれている。
【００２２】
水抜きパイプ１４のニップル１４ｂには、導水フレキシブル管１６が接続される（図４参照）。なお、導水フレキシブル管１６自体は、公知のものである。
【００２３】
床版水抜き管１０はまた、受皿１２の貫通穴１２ａ１の上に被せる目皿１８を備えている。目皿１８には、複数の排水孔１８ａが設けられている。目皿１８は好ましくは、耐蝕性を考慮して、ステンレス鋼で形成されている。
【００２４】
好ましくは、受皿１２の上部分１２ａの上面には、目皿１８を配置するための凹部１２ａ４が設けられており、凹部１２ａ４の外径及び深さは、目皿１８の外径及び厚みとほぼ同等となるように形作られている。なお、目皿１８は、凹部１２ａ４に接着剤で堅固に固定してもよいし、凹部１２ａ４に嵌め込むのみでもよい。なお、貫通穴１２ａ１内に導水管を差し込むことにより、目皿１８を配置しないようにしてもよい。
【００２５】
床版水抜き管１０はさらに、受皿１２の上部分１２ａの下方かつ下部分１２ｂの周囲に配置される据付け用ばね２０と、受皿１２の上部分１２ａの孔１２ａ３に差し込まれるピン２２とを備えている。据付け用ばね２０は、受皿１２の据付け高さを調整するためのものであり、例えば番線を所要の（受皿１２の下部分１２ｂの外径よりも大きく、後述する座ぐり孔の直径よりも小さい）直径に巻いたものを使用してもよい。ピン２２は、受皿１２を所定の据付け位置に固定するためのものであり、好ましくは、安価であり取り扱いが容易である公知のスナップピンが用いられる。ピン２２で受皿１２が固定されることにより、床版水抜き管１０と導水管との接続が確保され、橋面の良好な排水が可能になる。
【００２６】
図３は、受皿１２、水抜きパイプ１４及び目皿１８を合体させた状態を示した断面図である。受皿１２の上部分１２ａの下方、すなわち下部分１２ｂの周囲に据付け用ばね２０が位置しており、受皿１２の上部分１２ａの孔１２ａ３にピン２２が挿入され、先端が拡げられている。
【００２７】
次に、以上のように構成された床版水抜き管１０を使用して、橋面排水システムを施工する方法について説明する。図４は、橋面排水システムの全体を示した概略図、図５は、図４の部分５の拡大図である。図４に示される橋面排水システムは、橋梁の地覆部に隣接した箇所において橋梁をほぼ垂直方向に貫通するように設置された床版水抜き管１０と、床版水抜き管１０の下端に接続され、躯体に取付具で固定された導水フレキシブル管１６とを備えている。
【００２８】
図６は、床版水抜き管１０を設置する手順を示した一連の図である。まず、床版水抜き管１０を設置しようとする箇所に、床版水抜き管１０の外径よりも僅かに大きな径をもつ孔を削孔し（図６（ａ）参照）、当該孔の上端に座ぐり孔を削孔する（図６（ｂ）参照）。次いで、床版水抜き管１０を当該孔に挿入した場合に当該孔の下端部に位置する箇所にシールテープを貼付し、当該孔に床版水抜き管１０を挿入する。挿入された床版水抜き管１０は、据付け用ばね２０を介して座ぐり孔で支持される（図６（ｃ）参照）。なお、床版水抜き管１０にシールテープを貼付するのは、隙間に注入する接着剤が流下するのを防止するためである。シールテープとしては通常、片面（床版水抜き管１０に接触する面）を粘着加工した発泡体が用いられる。
【００２９】
床版水抜き管１０が座ぐり孔で支持された状態で、受皿１２の上部分１２ａの上面が橋のコンクリート面の上面よりも下に位置している場合には、据付け用ばね２０を引き伸ばして据付け用ばね２０の高さを高くし、受皿１２の上部分１２ａの上面が橋のコンクリート面の上面と面一になるように調整する。一方、受皿１２の上部分１２ａの上面が橋のコンクリート面の上面よりも上に位置している場合には、据付け用ばね２０を押し縮めて据付け用ばね２０の高さを低くし、受皿１２の上部分１２ａの上面が橋のコンクリート面の上面と面一になるように調整する。このようにして、据付け用ばね２０を伸ばしたり縮めたりすることによって、受皿１２（従って、床版水抜き管１０）の高さを容易に調整することができる。
【００３０】
次いで、削孔と床版水抜き管１０との間の隙間に、受皿１２の上部分１２ａの開口１２ａ２から、液状接着剤を充填する（図６（ｄ）参照））。なお、液状接着剤の注入に際しては、開口１２ａ２から隙間内を観測しつつ、過注入しないように注意して行う。なお、液状接着剤が硬化すると、受皿１２（従って、床版水抜き管１０）は、ピン２２を介して、所定個所に確実に固定されることになる。次いで、床版水抜き管１０の上端に目皿１８を設置し、床版水抜き管１０の下端に導水フレキシブル管１６等を取り付ける（図６（ｅ）参照））。最後に、床版防水層を設置する（図６（ｆ）参照）。なお、図６（ｅ）に示した工程と図６（ｆ）に示した工程の順序を逆にしてもよい。
【００３１】
図６（ｇ）は、図６（ｆ）の部分６ｇの拡大図、図６（ｈ）は、図６（ｇ）の線６ｈ−６ｈに沿って見た平面図である。なお、床版防水層を受皿１２の上面まで設けない施工方法を採用することもできる。
【００３２】
上述の施工方法は、橋の車道や歩道に床版水抜き管１０を設置する場合の方法であるが、車道と歩道の境界に設置される縁石の下方に床版水抜き管１０を設置する場合の施工方法について、図7を参照して以下に説明する。縁石を設置する際、設置個所にモルタル（セメント：砂＝１：３）が敷き均され、その上に位置及び高さを決めて縁石が設置される。縁石の下は、橋梁において最も滞水が集中する低い位置であり、モルタルが敷き詰められているので、常時滞水している。なお、縁石の下部には、凹部が設けられている（図７（ａ）参照）。
【００３３】
まず、上述のように車道や歩道に設置する場合と同様の手順で、縁石の下方に床版水抜き管１０を設置する。次いで、受皿１２の上方に半球形カップ２４を設置する（換言すると、受皿１２を半球形カップ２４で覆う）。半球形カップ２４には、図７（ｂ）に示されるように、導水パイプを接続するための切欠き２４ａと、排水孔２４ｂが設けられている。半球形カップ２４の大きさは、受皿１２を完全に覆うことができ、かつ、縁石の下部の凹部に収容される程のものである。半球形カップ２４は、耐蝕性と強度を兼ね備えた材料（例えば、ステンレス鋼や合成樹脂材料など）で形成するのが好ましい。半球形カップ２４の切欠き２４ａに導水パイプを接続し、縁石周囲の滞水を床版水抜き管１０に導くようにするのが好ましい（図７（ｃ）、図７（ｄ）参照）。
【００３４】
なお、半球形カップ２４を設置するのは、受皿１２の上方にモルタルがかぶさってくるので、受皿１２の上方に空間を確保し、良好な排水が可能になるようにするためである。
【００３５】
本発明は、以上の発明の実施の形態に限定されることなく、特許請求の範囲に記載された発明の範囲内で、種々の変更が可能であり、それらも本発明の範囲内に包含されるものであることはいうまでもない。
【００３６】
たとえば、図示した構成要素（受皿１２、水抜きパイプ１４、導水フレキシブル管１６、目皿１８、据付け用ばね、ピン２２、カップ２４）の細部の形状や寸法等は、単なる例示的なものにすぎず、図示した以外の形状や寸法等を採用してもよい。
【符号の説明】
【００３７】
１０  床版水抜き管
１２  受皿
１２ａ  上部分
１２ａ１  貫通穴
１２ａ２  開口
１２ａ３  孔
１２ａ４  凹部
１２ｂ  下部分
１２ｂ１  下端
１４  水抜きパイプ
１４ａ  雌ねじ
１４ｂ  ニップル
１６  導水フレキシブル管
１８  目皿
１８ａ  排水孔
２０  据付け用ばね
２２  ピン
２４  半球形カップ
２４ａ  導水パイプ用切欠き
２４ｂ  排水孔
【図１】
2019138062.tif 000003
【図２】
2019138062.tif 000004
【図３】
2019138062.tif 000005
【図４】
2019138062.tif 000006
【図５】
2019138062.tif 000007
【図６】
2019138062.tif 000008
【図７】
2019138062.tif 000009